(57)【要約】【課題】正負極端子間が好適に接合された組電池を提供する。【解決手段】本発明によって、所定の配列方向Ｘに配列された複数のラミネート型電池１０Ａ〜１０Ｅを備える組電池１が提供される。複数のラミネート型電池１０Ａ〜１０Ｅでは、正極端子１２Ｂ〜１２Ｅと負極端子１４Ａ〜１４Ｄとが直列に接続されており、配列方向Ｘにおいて、電気的に接続されている正負極端子間の距離ｄ１が、電気的に接続されていない正負極端子間の距離ｄ２に比べて相対的に短い。【選択図】図１
2018088333.tif 000002
【特許請求の範囲】
【請求項１】
所定の配列方向に配列された複数のラミネート型電池を備え、
前記複数のラミネート型電池は、それぞれ、
ラミネート外装体と、
前記ラミネート外装体の内部に配置され、正極シートと負極シートとを備える電極体と、
前記ラミネート外装体の内部に配置される電解質と、
前記ラミネート外装体の内部で前記正極シートと電気的に接続され、一部が前記ラミネート外装体の外部に突出している正極端子と、
前記ラミネート外装体の内部で前記負極シートと電気的に接続され、一部が前記ラミネート外装体の外部であって前記電極体に対して前記正極端子の反対側に突出している負極端子と、
を備え、
前記配列方向に隣り合っている前記複数のラミネート型電池では、前記正極端子と前記負極端子とが直列に接続されており、前記配列方向において、電気的に接続されている前記正極端子と前記負極端子との間の距離が、電気的に接続されていない前記正極端子と前記負極端子との間の距離に比べて相対的に短い、組電池。
【請求項２】
前記電気的に接続されている前記正極端子と前記負極端子とは、接続部材を介在させずに直接的に接続されており、
前記電気的に接続されている前記正極端子と前記負極端子とが平行である、請求項１に記載の組電池。
【請求項３】
前記ラミネート外装体は、第一及び第二のフィルムを備え、
前記第一及び第二のフィルムは、
それぞれ、平坦部と前記電極体を収容するための空間を構成する変形部とを有し、
前記変形部が点対称となるように重ね合わせた状態で、外縁部分が封止されている、請求項１または２に記載の組電池。
【請求項４】
一対の幅広面を有するラミネート外装体と、
前記ラミネート外装体の内部に配置され、正極シートと負極シートとを備える電極体と、
前記ラミネート外装体の内部に配置される電解質と、
前記ラミネート外装体の内部で前記正極シートと電気的に接続され、一部が前記ラミネート外装体の外部に突出している正極端子と、
前記ラミネート外装体の内部で前記負極シートと電気的に接続され、一部が前記ラミネート外装体の外部であって前記電極体に対して前記正極端子の反対側に突出している負極端子と、
を備え、
前記ラミネート外装体の一の前記幅広面から他の前記幅広面へと向かう厚さ方向において、前記正極端子の位置と前記負極端子との位置が相互に異なっている、直列接続用のラミネート型電池。
【発明の詳細な説明】
【技術分野】
【０００１】
本発明は、直列接続用のラミネート型電池、及び組電池に関する。詳しくは、直列接続用のラミネート型電池及び、複数のラミネート型電池を直列接続してなる組電池に関する。
【背景技術】
【０００２】
複数の二次電池を電気的に接続した組電池（モジュールともいう。）は、車両搭載用の高出力電源等として汎用されている。組電池の一例として、ラミネート型電池を複数個電気的に接続したものが挙げられる。図４は、従来の一態様に係る組電池１００の外形を模式的に示す平面図である。図４の組電池１００では、複数のラミネート型電池１００Ａ〜１００Ｅが配列方向Ｘ０に沿って配置されている。ラミネート型電池１００Ａ〜１００Ｅの幅方向Ｗ０の左右の端部には、正極端子１２０と負極端子１４０とが突出している。各ラミネート型電池１００Ａ〜１００Ｅでは、正極端子１２０と負極端子１４０とが、配列方向Ｘ０の中央（真ん中）に配置されている。言い換えれば、正極端子１２０と負極端子１４０とは、それぞれ配列方向Ｘ０の同じ位置に配置されている。正極端子１２０と負極端子１４０とは、幅方向Ｗ０の中央を対称軸とした線対称な形状を有する。
【０００３】
組電池１００では、配列方向Ｘ０に隣り合うラミネート型電池１００Ａ〜１００Ｅの正極端子１２０と負極端子１４０とが溶接接合されている。これによって、組電池１００は直列に接続されている。組電池１００では、幅方向Ｗ０の左右の端部において、各ラミネート型電池１００Ａ〜１００Ｅの正極端子１２０と負極端子１４０とが等間隔に配置されている。このため、溶接接合する正極端子１２０と負極端子１４０との距離が離れている。したがって、溶接接合の際には、正極端子１２０や負極端子１４０を大きく撓らせて、正極端子１２０と負極端子１４０との位置を近づける必要がある。その結果、ラミネート外装体に負荷がかかり、亀裂等の破損が生じることがある。このことにより、ラミネート外装体の封止性能が低下して、ラミネート外装体の内部に水分等が混入することがある。
【０００４】
また、組電池の正極端子と負極端子との電気的な接続に関連する技術として、特許文献１が挙げられる。特許文献１の組電池では、正極端子と負極端子とが、それぞれ折り曲げ加工された折り曲げ部を有している。そして、配列方向に隣り合うラミネート型電池の正極折り曲げ部と負極折り曲げ部とが溶接接合されることにより、複数の二次電池が直列に接続されている。
【先行技術文献】
【特許文献】
【０００５】
【特許文献１】特開２０１２−２２１８０４号公報
【発明の概要】
【発明が解決しようとする課題】
【０００６】
しかしながら、特許文献１の組電池では、正極端子と負極端子とを折り曲げて加工する必要がある。このため、加工の手間が煩雑であった。したがって、コストや作業効率の観点からは、複数個のラミネート型電池をより容易に直列接続することのできる技術が求められていた。また、直列接続に適した（直列接続用の）ラミネート型電池が求められていた。
【０００７】
本発明はかかる事情に鑑みてなされたものであり、その目的は、複数のラミネート型電池を直列接続してなる組電池であって、正負極端子間が好適に接合された組電池を提供することにある。また、本発明の他の目的は、直列接続用のラミネート型電池を提供することにある。
【課題を解決するための手段】
【０００８】
本発明によって、所定の配列方向に配列された複数のラミネート型電池を備えた組電池が提供される。上記複数のラミネート型電池は、それぞれ、ラミネート外装体と、上記ラミネート外装体の内部に配置され、正極シートと負極シートとを備える電極体と、上記ラミネート外装体の内部に配置される電解質と、上記ラミネート外装体の内部で上記正極シートと電気的に接続され、一部が上記ラミネート外装体の外部に突出している正極端子と、上記ラミネート外装体の内部で上記負極シートと電気的に接続され、一部が上記ラミネート外装体の外部であって上記電極体に対して上記正極端子の反対側に突出している負極端子と、を備える。上記配列方向に隣り合っている上記複数のラミネート型電池では、上記正極端子と上記負極端子とが直列に接続されており、上記配列方向において、電気的に接続されている上記正極端子と上記負極端子との間の距離が、電気的に接続されていない上記正極端子と上記負極端子との間の距離に比べて相対的に短い。
【０００９】
上記構成の組電池では、複数のラミネート型電池の正負極端子間を溶接する際に、ラミネート外装体への負荷を軽減することができる。言い換えれば、電極体を収容しているラミネート外装体の形状を安定的に維持することができる。このことにより、ラミネート外装体に亀裂等の破損が生じて、封止性能が低下することを抑制することができる。また、上記構成の組電池では、電極端子を折り曲げて加工する手間が不要となる。このことにより、組電池を製造する際の作業効率を向上すると共に、低コスト化を実現することができる。
【００１０】
なお、本明細書において、「ラミネート型電池」とは、ラミネートフィルムを外装体として利用し、その内部に電極体と電解質とを収容した構成の電池全般をいう。ラミネート型電池は、リチウムイオン二次電池やニッケル水素電池等の蓄電池であってもよく、電気二重層キャパシタ等の蓄電素子であってもよい。
また、本明細書において、「正極端子と負極端子との間の距離」とは、配列方向のラミネート外装体の外縁と正負極端子とが交わる位置において、正極端子の中心から負極端子の中心までの間の距離をいう。
【００１１】
ここに開示される組電池の好適な一態様では、電気的に接続されている上記正極端子と上記負極端子とは、接続部材を介在させずに直接的に接続されており、上記電気的に接続されている上記正極端子と上記負極端子とが平行である。これにより、組電池を製造する際の作業効率を一層向上すると共に、ラミネート外装体への負荷をより良く軽減することができる。したがって、本発明の効果を、より一層高いレベルで発揮することができる。
【００１２】
なお、本明細書において「平行」とは、厳密な意味ではなく、正極端子を伸ばした直線と、負極端子を伸ばした直線とが、概ね−１０°以上１０°以下、例えば−５°以上５°以下の角度で配置されていることをいう。
【００１３】
ここに開示される組電池の好適な一態様では、上記ラミネート外装体は、第一及び第二のフィルムを備え、上記第一及び第二のフィルムは、それぞれ、平坦部と上記電極体を収容するための空間を構成する変形部とを有し、上記変形部が点対称となるように重ね合わせた状態で、外縁部分が封止されている。これにより、上記組電池をより安定的に且つ効率的に実現することができる。
【００１４】
また、本発明によって、一対の幅広面を有するラミネート外装体と、上記ラミネート外装体の内部に配置され、正極シートと負極シートとを備える電極体と、上記ラミネート外装体の内部に配置される電解質と、上記ラミネート外装体の内部で上記正極シートと電気的に接続され、一部が上記ラミネート外装体の外部に突出している正極端子と、上記ラミネート外装体の内部で上記負極シートと電気的に接続され、一部が上記ラミネート外装体の外部であって上記電極体に対して上記正極端子の反対側に突出している負極端子と、を備える直列接続用のラミネート型電池が提供される。上記ラミネート外装体の一の上記幅広面から他の上記幅広面へと向かう厚さ方向において、上記正極端子の位置と上記負極端子との位置が相互に異なっている。
【図面の簡単な説明】
【００１５】
【図１】一実施形態に係る組電池の外形を模式的に示す平面図である。
【図２】一実施形態に係るラミネート型電池を模式的に示す斜視図である。
【図３】図２のラミネート型電池のIII−III線断面図である。
【図４】従来の組電池の外形を模式的に示す平面図である。
【発明を実施するための形態】
【００１６】
以下、適宜図面を参照しつつ、ここに開示される組電池の好適な実施形態を説明する。なお、本明細書において特に言及している事項以外の事柄であって実施に必要な事柄（例えば、電池の一般的な電池構築プロセス）は、当該分野における従来技術に基づく当業者の設計事項として把握され得る。ここに開示される組電池は、本明細書に開示されている内容と当該分野における技術常識とに基づいて実施することができる。
また、以下の図面において、同じ作用を奏する部材・部位には同じ符号を付し、重複する説明は省略または簡略化することがある。各図における寸法関係（長さ、幅、厚み等）は、説明を容易にするためにデフォルメされていることがあり、必ずしも実際の寸法関係を反映するものではない。なお、図面中の符号Ｘは、ラミネート型電池の配列方向を示している。また、図面中の符号Ｗは、ラミネート型電池の幅方向を示している。ただし、これらは説明の便宜上の方向に過ぎず、ラミネート型電池の配置態様を何ら限定するものではない。
【００１７】
図１は、一実施形態に係る組電池１の外形を模式的に示す平面図である。組電池１は、複数のラミネート型電池１０Ａ、１０Ｂ、１０Ｃ、１０Ｄ、１０Ｅを備えている。複数のラミネート型電池１０Ａ、１０Ｂ、１０Ｃ、１０Ｄ、１０Ｅは、同一形状を有している。各ラミネート型電池１０Ａ、１０Ｂ、１０Ｃ、１０Ｄ、１０Ｅは、平板状である。各ラミネート型電池１０Ａ、１０Ｂ、１０Ｃ、１０Ｄ、１０Ｅは、一対の平坦な面（幅広面）１６を有している。ラミネート型電池１０Ａ、１０Ｂ、１０Ｃ、１０Ｄ、１０Ｅは、幅広面１６同士が互いに対向するように、配列方向Ｘに沿って並べられている。配列方向Ｘの偶数番目のラミネート型電池、すなわち、ラミネート型電池１０Ｂ、１０Ｄは、配列方向Ｘの奇数番目のラミネート型電池、すなわち、ラミネート型電池１０Ａ、１０Ｃ、１０Ｅに対して左右を逆転させた状態で、配置されている。
【００１８】
なお、ラミネート型電池１０Ａ、１０Ｂ、１０Ｃ、１０Ｄ、１０Ｅの間には、例えば、放熱部材、スペーサ部材、絶縁部材等が配置されていてもよい。また、組電池１を構成するラミネート型電池はここでは５個であるが、これには限定されない。組電池を構成するラミネート型電池の数は、典型的には１０個以上の奇数、例えば１０〜１００個程度であってもよい。
【００１９】
各ラミネート型電池１０Ａ、１０Ｂ、１０Ｃ、１０Ｄ、１０Ｅの外面には、正極端子１２Ａ、１２Ｂ、１２Ｃ、１２Ｄ、１２Ｅと、負極端子１４Ａ、１４Ｂ、１４Ｃ、１４Ｄ、１４Ｅとが突出している。正極端子１２Ａ、１２Ｂ、１２Ｃ、１２Ｄ、１２Ｅと、負極端子１４Ａ、１４Ｂ、１４Ｃ、１４Ｄ、１４Ｅとは、各ラミネート型電池１０Ａ、１０Ｂ、１０Ｃ、１０Ｄ、１０Ｅの幅広面１６を挟んで対向する位置に配置されている。具体的には、配列方向Ｘと直交する幅方向Ｗにおいて、各ラミネート型電池１０Ａ、１０Ｂ、１０Ｃ、１０Ｄ、１０Ｅの左右の端に、正極端子１２Ａ、１２Ｂ、１２Ｃ、１２Ｄ、１２Ｅ及び負極端子１４Ａ、１４Ｂ、１４Ｃ、１４Ｄ、１４Ｅが配置されている。
【００２０】
各ラミネート型電池１０Ａ、１０Ｂ、１０Ｃ、１０Ｄ、１０Ｅでは、配列方向Ｘにおいて、正極端子１２Ａ、１２Ｂ、１２Ｃ、１２Ｄ、１２Ｅと、負極端子１４Ａ、１４Ｂ、１４Ｃ、１４Ｄ、１４Ｅとの位置が異なっている。詳しくは、正極端子１２Ａ、１２Ｂ、１２Ｃ、１２Ｄ、１２Ｅが、それぞれの負極端子１４Ａ、１４Ｂ、１４Ｃ、１４Ｄ、１４Ｅよりも相対的に配列方向Ｘの上方側に位置している。より具体的には、各ラミネート型電池１０Ａ、１０Ｂ、１０Ｃ、１０Ｄ、１０Ｅについて、配列方向Ｘで２分する中央線をひいたときに、正極端子１２Ａ、１２Ｂ、１２Ｃ、１２Ｄ、１２Ｅが上側に、負極端子１４Ａ、１４Ｂ、１４Ｃ、１４Ｄ、１４Ｅが下側に、それぞれ位置している。
【００２１】
このため、幅方向Ｗの右端部では、ラミネート型電池１０Ａ、１０Ｃの負極端子１４Ａ、１４Ｃとラミネート型電池１０Ｂ、１０Ｄの正極端子１２Ｂ、１２Ｄとの間の距離が、それぞれ、ラミネート型電池１０Ｂ、１０Ｄの正極端子１２Ｂ、１２Ｄとラミネート型電池１０Ｃ、１０Ｅの負極端子１４Ｃ、１４Ｅとの間の距離に比べて、相対的に短くなっている。また、幅方向Ｗの左端部では、ラミネート型電池１０Ｂ、１０Ｄの負極端子１４Ｂ、１４Ｄとラミネート型電池１０Ｃ、１０Ｅの正極端子１２Ｃ、１２Ｅとの間の距離が、それぞれ、ラミネート型電池１０Ａ、１０Ｃの正極端子１２Ａ、１２Ｃとラミネート型電池１０Ｂ、１０Ｄの負極端子１４Ｂ、１４Ｄとの間の距離に比べて、相対的に短くなっている。
【００２２】
複数のラミネート型電池１０Ａ、１０Ｂ、１０Ｃ、１０Ｄ、１０Ｅは、直列に接続されている。複数のラミネート型電池１０Ａ、１０Ｂ、１０Ｃ、１０Ｄ、１０Ｅは、バスバー等の接続部材を介在させずに、直接的に電気接続されている。
具体的には、幅方向Ｗの右端部において、ラミネート型電池１０Ａ、１０Ｃの負極端子１４Ａ、１４Ｃが、それぞれ隣り合ったラミネート型電池１０Ｂ、１０Ｄの正極端子１２Ｂ、１２Ｄと溶接接合されている。これにより、負極端子１４Ａと正極端子１２Ｂ、及び、負極端子１４Ｃと正極端子１２Ｄが、それぞれ電気的に接続されている。また、幅方向Ｗの左端部において、ラミネート型電池１０Ｂ、１０Ｄの負極端子１４Ｂ、１４Ｄが、それぞれ隣り合ったラミネート型電池１０Ｃ、１０Ｅの正極端子１２Ｃ、１２Ｅと溶接接合されている。これにより、負極端子１４Ｂと正極端子１２Ｃ、及び、負極端子１４Ｄと正極端子１２Ｅが、それぞれ電気的に接続されている。複数のラミネート型電池１０Ａ、１０Ｂ、１０Ｃ、１０Ｄ、１０Ｅは、正極端子１２Ｂ、１２Ｃ、１２Ｄ、１２Ｅと、負極端子１４Ａ、１４Ｂ、１４Ｃ、１４Ｄとを平行に維持した状態のままで、電気的に接続されている。
【００２３】
ラミネート型電池１０Ａの正極端子１２Ａは、外部接続が可能なように開放された正極出力端子である。また、ラミネート型電池１０Ｅの負極端子１４Ｅは、外部接続が可能なように開放された負極出力端子である。
【００２４】
本実施形態では、隣り合うラミネート型電池において、電気的に接続されている正極端子と負極端子との間の距離が、電気的に接続されていない正極端子と負極端子との間の距離に比べて相対的に短い。
ラミネート型電池１０Ｂを例に説明すると、幅方向Ｗの右端部において、正極端子１２Ｂと、正極端子１２Ｂに接続されている負極端子１４Ａとの間の距離をｄ１とし、正極端子１２Ｂと、正極端子１２Ｂに接続されていない負極端子１４Ｃとの間の距離をｄ２としたときに、ｄ１、ｄ２が、ｄ１＜ｄ２である。このように正極端子１２Ｂと負極端子１４Ａとの間の距離を短くすることにより、ラミネート型電池１０Ａ、１０Ｂを好適に直列接続することができる。つまり、正極端子１２Ｂと負極端子１４Ａとを溶接接合する際には、ラミネート外装体３０（図２，３参照）への負担を軽減することができる。また、面接合によって正極端子１２Ｂと負極端子１４Ａとをより強固に接合することができる。なお、上記ではラミネート型電池１０Ｂを例に説明したが、ラミネート型電池１０Ｃ、１０Ｄについても同様である。
【００２５】
ｄ１、ｄ２の関係は、電極体２０（図２，３参照）の配列方向Ｘの長さ（例えば積層方向の厚み）にもよるが、典型的には、１．５×ｄ１＜ｄ２＜１００×ｄ１、好ましくは、２×ｄ１＜ｄ２、例えば、５×ｄ１＜ｄ２である。このような態様において、ここに開示される技術の効果が、より良く発揮される。
【００２６】
なお、図４に示したような従来の組電池１００では、幅方向Ｗ０の両端部に、正極端子１２０と負極端子１４０とが等間隔に配置されている。したがって、隣り合うラミネート型電池１００Ａ〜１００Ｅにおいて、電気的に接続されている正極端子と負極端子との間の距離をｄ１０とし、電気的に接続されていない正極端子と負極端子との間の距離をｄ２０としたときに、ｄ１０、ｄ２０が、ｄ１０≒ｄ２０である。
【００２７】
図２は、ラミネート型電池１０Ａの外形を模式的に示す斜視図である。図３は、ラミネート型電池１０ＡのIII−III線断面図である。以下、ラミネート型電池１０Ａを例に、ラミネート型電池の各構成要素について説明するが、ラミネート型電池１０Ｂ、１０Ｃ、１０Ｄ、１０Ｅもラミネート型電池１０Ａと同様の構成である。
ラミネート型電池１０Ａは、電極体２０と、図示しない電解質と、正極端子１２Ａと、負極端子１４Ａと、ラミネート外装体３０とを備えている。電極体２０と電解質とは、ラミネート外装体３０の内部に収容されている。
【００２８】
電極体２０の構成は従来公知の電池と同様でよく、特に限定されない。電極体２０は、ここでは積層型の電極体（積層電極体）である。電極体２０は、矩形状の正極シートと矩形状の負極シートとを、それぞれ１枚以上、典型的にはそれぞれ複数枚備えている。正極シートと負極シートとは、絶縁された状態で所定の積層方向Ｘ１に交互に積み重ねられている。電極体２０の積層方向Ｘ１は、典型的には組電池１におけるラミネート型電池１０Ａ、１０Ｂ、１０Ｃ、１０Ｄ、１０Ｅの配列方向Ｘと同じである。ただし、電極体２０の積層方向Ｘ１とラミネート型電池１０Ａ、１０Ｂ、１０Ｃ、１０Ｄ、１０Ｅの配列方向Ｘとは異なっていてもよい。電極体２０は、例えば帯状の正極シートと負極シートとが絶縁された状態で積み重ねられ、長手方向に捲回されてなる捲回電極体であってもよい。
【００２９】
正極シートは、典型的には、正極集電体と、その表面に形成された正極活物質層とを備えている。正極活物質層は、正極活物質（例えばリチウムニッケルコバルトマンガン複合酸化物等のリチウム遷移金属複合酸化物）を含んでいる。１枚あるいは複数枚の正極シートは、ラミネート外装体３０の内部で正極端子１２Ａと電気的に接続されている。正極端子１２Ａの一部は、ラミネート外装体３０の外部まで延びている。言い換えれば、正極端子１２Ａはラミネート外装体３０の外部に突出している。
【００３０】
負極シートは、典型的には、負極集電体と、その表面に形成された負極活物質層とを備えている。負極活物質層は、負極活物質（例えば黒鉛等の炭素材料）を含んでいる。１枚あるいは複数枚の負極シートは、ラミネート外装体３０の内部で負極端子１４Ａと電気的に接続されている。負極端子１４Ａの一部は、ラミネート外装体３０の外部まで延びている。言い換えれば、負極端子１４Ａはラミネート外装体３０の外部に突出している。
【００３１】
正極シートと負極シートとの間には、セパレータシートが介在されていてもよい。セパレータシートは、正極活物質層と負極活物質層とを絶縁する。セパレータシートとしては、例えば、ポリエチレン（ＰＥ）、ポリプロピレン（ＰＰ）等の樹脂シートが好適である。セパレータシートには、例えばアルミナ等の無機フィラーを主成分とする耐熱層が設けられていてもよい。
【００３２】
電解質の構成は従来公知のラミネート型電池と同様でよく、特に限定されない。電解質は、液状であってもよいし、ポリマー状（ゲル状）であってもよいし、固体状であってもよい。電解質は、例えば、カーボネート類やエステル類等の非水溶媒と、電荷担体を生成するリチウム塩等の支持塩とを含んでいてもよい。
【００３３】
正極端子１２Ａと負極端子１４Ａとは、幅方向Ｗにおいて、電極体２０を介して対向する側に位置している。言い換えれば、負極端子１４Ａは、電極体２０を挟んで、正極端子１２Ａの反対側に位置している。このことにより、組電池１を構築する際の作業性、詳しくは、ラミネート型電池１０Ａ、１０Ｂ、１０Ｃ、１０Ｄ、１０Ｅを直列接続する際の作業性を向上することができる。また、短絡等の不具合が生じ難い組電池１を好適に実現することができる。正極端子１２Ａと負極端子１４Ａとは、積層方向Ｘ１における位置が相互に異なっている。この例では、正極端子１２Ａが、負極端子１４Ａよりも相対的に積層方向Ｘ１の上方側に位置している。
【００３４】
ラミネート外装体３０は、電極体２０と電解質とを収容する袋状の容器である。本実施形態のラミネート外装体３０は、２枚のラミネートフィルム３２、３４を備えている。ラミネートフィルム３２、３４の外形は、平面視において、正極シートや負極シートと同様に矩形状である。ラミネートフィルム３２、３４は、例えば、１０〜１００μｍ程度の厚みのナイロン層と、３０〜１５０μｍ程度の厚みのアルミニウム層と、１０〜１００μｍ程度の厚みのポリプロピレン層とが、この順で積層された積層構造を有している。ナイロン層は、ラミネート外装体３０の最外層を構成し、ラミネートフィルム３２、３４の耐久性や耐衝撃性を高めるための層である。アルミニウム層は、ラミネートフィルム３２、３４のガスバリア性や防湿性を高めるための層である。ポリプロピレン層は、ラミネートフィルム３２、３４に熱溶着性を付与するためのシーラント層である。
【００３５】
図３に示すように、各ラミネートフィルム３２、３４は、それぞれ、断面が直線状の平面部３２ａ、３４ａと、当該平面部３２ａ、３４ａから連なり、幅方向Ｗの一方の端に設けられた変形部３２ｂ、３４ｂとを有している。平面部３２ａの幅方向Ｗの長さは、電極体２０の幅方向Ｗの長さと同じかそれよりも長く、例えば電極体２０と正極端子１２Ａとの幅方向Ｗの合計長さよりも短い。平面部３４ａの幅方向Ｗの長さは、電極体２０の幅方向Ｗの長さと同じかそれよりも長く、例えば電極体２０と負極端子１４Ａとの幅方向Ｗの合計長さよりも短い。ここでは、平面部３２ａ、３４ａの幅方向Ｗの長さが同じである。
変形部３２ｂ、３４ｂは、断面が曲線状（Ｒ形状）に形成されている。変形部３２ｂ、３４ｂは、所定の曲率半径を有する。当該曲率半径は、例えば、積層体２０の積層方向Ｘ１の厚みと同じかそれよりも大きい。積層方向Ｘ１において、各変形部３２ｂ、３４ｂの一端から他端までの長さは、電極体２０の厚みと同じかそれよりも長い。ここでは、変形部３２ｂ、３４ｂの積層方向Ｘ１における一端から他端までの長さが同じである。変形部３２ｂ、３４ｂは、例えば、ラミネートフィルム３２、３４を所定の型枠に押し付けて塑性変形させるエンボス加工等によって形成されている。
【００３６】
ラミネートフィルム３２の平面部３２ａは、正極端子１２Ａと平行に、正極端子１２Ａに沿って配置されている。ラミネートフィルム３２の平面部３２ａは、正極端子１２Ａと面一となるように配置されている。ラミネートフィルム３４の平面部３４ａは、負極端子１４Ａと平行に、負極端子１４Ａに沿って配置されている。ラミネートフィルム３４の平面部３４ａは、負極端子１４Ａと面一となるように配置されている。
【００３７】
２枚のラミネートフィルム３２、３４は、電極体２０の中心を対称点とした点対称になるように配置されている。２枚のラミネートフィルム３２、３４は点対称の状態で重ね合わせられ、その周縁の部分が熱溶着されることにより、気密に封止されている。ラミネート外装体３０の外縁部分には、ラミネートフィルム３２、３４が溶着された溶着部３６が形成されている。溶着部３６は、収容空間の全周、すなわち、ラミネート外装体３０の４つの辺全てに亘って設けられている。ラミネートフィルム３２、３４に囲まれた空間が、電極体２０と電解質とを収容する収容空間を構成している。収容空間のうち、変形部３２ｂ、３４ｂに近い一部の領域は、充放電に寄与しない残空間（デッドスペース）３８となっている。
【００３８】
なお、ラミネート外装体３０は、ここでは２枚のラミネートフィルム３２、３４を備えているが、１枚のラミネートフィルムのみで構成されていてもよい。この場合、１枚のラミネートフィルムを折り返して、折り返した部分の周縁を熱溶着することにより、上記と同様にラミネート外装体として使用することができる。また、ラミネートフィルム３２、３４は、変形部３２ｂ、３４ｂを有していなくてもよい。また、変形部３２ｂ、３４ｂの断面形状は、曲線状には限定されず、例えば凹形状、直線状等とすることもできる。
【００３９】
以上のように、ラミネート型電池１０Ａ、１０Ｂ、１０Ｃ、１０Ｄ、１０Ｅでは、積層方向Ｘにおいて、電気的に接続されている正極端子１２Ａ、１２Ｂ、１２Ｃ、１２Ｄと、負極端子１４Ｂ、１４Ｃ、１４Ｄ、１４Ｅとの間の距離が近づいている。言い換えれば、積層方向Ｘにおいて隣り合う正極端子と負極端子との間の距離が等間隔である従来の組電池１００に比べて、電気的に接続された正極端子１２Ａ、１２Ｂ、１２Ｃ、１２Ｄと、負極端子１４Ｂ、１４Ｃ、１４Ｄ、１４Ｅとの間の距離が、相対的に短くなっている。
【００４０】
そして、組電池１では、正極端子１２Ｂ、１２Ｃ、１２Ｄ、１２Ｅと、負極端子１４Ａ、１４Ｂ、１４Ｃ、１４Ｄとが平行に位置した状態で直列接続されている。このことにより、正極端子１２Ｂ、１２Ｃ、１２Ｄ、１２Ｅと負極端子１４Ａ、１４Ｂ、１４Ｃ、１４Ｄとを溶接接合する際に、ラミネート外装体３０への負荷を軽減することができる。その結果、ラミネート外装体３０に亀裂が入って、当該亀裂からラミネート外装体３０の内部に水分等が混入することを抑制することができる。また、かかる態様によれば、例えば電極体の積層方向の厚みが厚い高容量タイプのラミネート型電池であっても、正負極端子間を良好に溶接接合することができる。
【００４１】
組電池１は各種用途に利用可能であるが、エネルギー密度や出力密度が高いことを特徴とする。したがって、組電池１は、このような特徴を活かして、特に高エネルギー密度や高出力密度の要求される用途で好ましく用いることができる。具体的には、例えば、理論容量が１０Ａｈ／Ｌ以上、典型的には５０Ａｈ／Ｌ以上、例えば１００〜２００Ａｈ／Ｌの高エネルギー密度タイプの電池や、充放電レートが２Ｃ（１Ｃとは、満充電状態の電池を１時間で放電させる電流値を意味する。）以上、典型的には５Ｃ以上、例えば１０〜３０Ｃのハイレート充放電を繰り返す高出力密度タイプの電池に好ましく用いることができる。また、組電池１は、例えば車両に搭載されるモーター用の動力源（駆動用電源）として好適に用いることができる。車両の種類は特に限定されないが、典型的には自動車、例えばプラグインハイブリッド自動車（ＰＨＶ）、ハイブリッド自動車（ＨＶ）、電気自動車（ＥＶ）等が挙げられる。
【００４２】
以上、本発明を詳細に説明したが、上記実施形態は例示にすぎず、ここで開示される発明には上述の具体例を様々に変形、変更したものが含まれる。
【符号の説明】
【００４３】
１    組電池
１０Ａ、１０Ｂ、１０Ｃ、１０Ｄ、１０Ｅ    ラミネート型電池
１２Ａ、１２Ｂ、１２Ｃ、１２Ｄ、１２Ｅ    正極端子
１４Ａ、１４Ｂ、１４Ｃ、１４Ｄ、１４Ｅ    負極端子
２０    電極体
３０    ラミネート外装体
３２、３４    ラミネートフィルム
【図１】
2018088333.tif 000003
【図２】
2018088333.tif 000004
【図３】
2018088333.tif 000005
【図４】
2018088333.tif 000006